(57)【要約】【課題】  簡単な制御により、デコーダからのデコードデータの出力を早くすることが可能なディスク再生装置を得る。【解決手段】  第２の記憶手段６の入力を、第１の記憶手段５の出力と、信号処理回路４からのデータとの間で選択する切替スイッチ１２を設けた。これにより、第２の記憶手段６にデータを早く入力することが可能となり、デコードの開始を早くすることができ、デコーダからのデコードデータの出力を早くすることが可能となる。【選択図】図１
2008310887.tif 000002
【特許請求の範囲】
【請求項１】
圧縮されたディジタルオーディオ信号等のデータが記録されたディスクからデータを読み取る読取手段と、
前記ディスクより前記読取手段により読み取られたデータを格納する第１の記憶手段と、
該第１の記憶手段から読み出されたデータを格納する第２の記憶手段と、
該第２の記憶手段に入力されるデータを、前記第１の記憶手段から読み出されたデータが入力される経路と、前記読取手段により読み取られたデータが入力される経路との間で切り替える第１の切替スイッチ、および、該第１の切替スイッチの切替を制御するスイッチ制御回路からなる切替スイッチ手段と、
前記第２の記憶手段に格納されているデータのデータ量を判断する第２のデータ量判断手段と、
前記第２の記憶手段に格納されたデータをデコードするデコード手段と、
前記デコード手段によりデコードされたデータを出力するデータ出力手段と、を備え、
前記第２の記憶手段がデータを記憶していない時、前記ディスクより前記読取手段により読み取られたデータをそれぞれ所定量まで、前記第１の記憶手段、及び第２の記憶手段に格納させ、
前記第２のデータ量判断手段が、前記第２の記憶手段に所定量のデータが格納されたことを判断したとき、前記第２の記憶手段に入力されるデータの経路を、前記切替スイッチ手段により、前記第１の記憶手段から読み出されたデータが入力される経路に切り替える、
ことを特徴とするディスク再生装置。
【請求項２】
請求項１記載のディスク再生装置において、
前記第１の記憶手段に格納されているデータのデータ量を判断する第１のデータ量判断手段を、さらに備え、
該第１のデータ量判断手段および前記第２のデータ量判断手段が、前記第１の記憶手段および前記第２の記憶手段がデータを記憶していないと判断したとき、前記第１の記憶手段および前記第２の記憶手段に前記ディスクより前記読取手段により読み取ったデータをそれぞれ所定量まで格納させ、
前記第２のデータ量判断手段が、前記第２の記憶手段に所定量のデータが格納されたことを判断したとき、前記第２の記憶手段に入力されるデータの経路を、前記切替スイッチ手段により、前記第１の記憶手段から読み出されたデータが入力される経路に切り替える、
ことを特徴とするディスク再生装置。
【請求項３】
請求項１記載または請求項２記載のディスク再生装置において、
前記読み取り手段と、前記第１の記憶手段との間を、オンあるいはオフする第２の切替スイッチをさらに備え、
前記スイッチ制御回路は、前記第１の切替スイッチが、前記第２の記憶手段に前記第１の記憶手段から読み出されたデータが入力される経路を選択する時、前記読み取り手段と前記第１の記憶手段との間をオンにし、該第１の切替スイッチが、前記第２の記憶手段に前記読取手段により読み取られたデータが入力される経路を選択する時、前記読み取り手段と前記第１の記憶手段との間をオフにするように該第１および第２の切替スイッチを切替える、
ことを特徴とするディスク再生装置。
【発明の詳細な説明】
【技術分野】
【０００１】
本発明は、ＣＤ（Ｃｏｍｐａｃｔ  Ｄｉｓｃ）等に記録されている圧縮オーディオデータ等を再生するディスク再生装置に関するものである。
【背景技術】
【０００２】
従来のディスク再生装置では、ＣＤ等のディスクから読み取られたデータをいったんメモリなどに格納し、そのデータをデコーダが使用する別のメモリに格納することでデコード処理を実施し、そのデコードされたデータを外部に出力していた。
【０００３】
図４は、従来のディスク再生装置４００の構成を示している。
図４に示す従来のディスク再生装置４００において、１は圧縮されたオーディオデータ等のデータにＥＦＭ（Ｅｉｇｈｔ  ｔｏ  Ｆｉｆｔｅｅｎ  Ｍｏｄｕｌａｔｉｏｎ）等の変調を加えたうえで記録されたディスク、２はディスク１に記録されたデータを読み取るピックアップ、３はピックアップ２より読み取られたデータを復調するための復調回路、４は復調回路３で復調されたデータを、元の圧縮されたデジタル信号に復元する信号処理回路、５は信号処理回路４により復元されたデジタル信号を格納する第１の記憶手段、６は第１の記憶手段５に格納されたデータをデコーダが使用するために格納する第２の記憶手段である。
【０００４】
また、７は第２の記憶手段６に格納されたデータを使用して圧縮オーディオファイル（例えば、ＭＰ３（ＭＰＥＧ−１  Ａｕｄｉｏ  Ｌａｙｅｒ−３））などのデータをデコードするデコーダ、８はデコーダ７によってデコードされたデータをＤ／Ａ変換するためのＤ／Ａ変換回路、９はＤ／Ａ変換回路８によりデジタルデータから変換されたアナログデータを外部に出力するためのアナログ出力端子、１０はデコーダ７によってデコードされたデータをデジタルデータのまま外部に出力するインターフェース回路、１１はインターフェイス回路１０からのデジタル信号を外部に出力するためのデジタル出力端子である。
【０００５】
次に動作について説明する。ピックアップ２により、ディスク１に記録された、圧縮されたオーディオデータ等のデータが取り出される。このデータは、圧縮データそのものではなく、記録の際にＥＦＭ等の変調が加えられている。
【０００６】
ピックアップ２により取り出されたデータは、記録時に行われたＥＦＭ等の変調が復調回路３により復調され、さらに信号処理回路４により元の圧縮されたデジタル信号に復元される。
【０００７】
この圧縮されたデジタル信号は、一旦第１の記憶手段５に格納された後、第２の記憶手段６に格納される。
【０００８】
第１の記憶手段５は大容量であるが低速で、ディスク再生装置に物理的に加わった衝撃により再生音に音飛びが生じるのを防止する、いわゆるショックプルーフメモリとしての役割を持つ。また、記憶手段６は小容量であるが高速で、デコーダ７にデータを速やかに供給する、いわゆるキャッシュメモリに相当する役割をもつ。
【０００９】
第２の記憶手段６より読み出された、圧縮されたデータはデコーダ７により伸長され、Ｄ／Ａ変換回路８により、アナログ音声信号に変換されて、アナログ出力端子９より外部に出力される。
【００１０】
また、デコーダ７により伸長されたデジタル音声データは、インタフェース回路１０により他のデジタル機器が扱えるフォーマットのデジタルデータに変換されて、デジタル出力端子１１により外部に出力される。
【００１１】
また、デコーダを含まない、即ち、高能率に符号化された音声信号の伸長を伸長回路が行う、従来のディスク再生装置として、特許文献１に示されたものがあった。
【００１２】
このデコーダを含まない従来のディスク再生装置においては、ディスクに収録された曲を再生する前に、ディスクから読み出されたオーディオデータを前もって（電源投入時等に）メモリに格納しておき、曲再生の合図があると、そのメモリに格納されたオーディオデータを出力し、それとともにサーボ系のアクセスを開始させ、その後サーボ系のアクセス準備が完了すれば、ディスクから読み出されたオーディオデータに出力を切り替えることで、サーボ系のアクセス準備にかかる時間を短縮し、曲の頭出しを早くしている（例えば、特許文献１参照）。
【特許文献１】特開平７−１７６１７４号公報
【発明の開示】
【発明が解決しようとする課題】
【００１３】
しかしながら、デコーダを含む従来のディスク再生装置（図４参照）では、例えばデコード開始時のように、記憶手段５と記憶手段６とが共にデータを格納していない場合、まず第１の記憶手段５にデータを格納させ、その後、第２の記憶手段６に第１の記憶手段５からのデータを格納させるため、実際にデコード開始の合図があってからデコードを開始できるまでに時間差が生じ、デコード開始が遅くなり、デコードデータの出力が遅くなってしまう、という問題があった。
【００１４】
また、特許文献１に記載された従来のディスク再生装置では、再生の指令を行ってから再生出力が現れるのが遅くなる、という問題は解消できるが、そのための制御が複雑になる、という問題があった。
【００１５】
本発明は、前記従来の課題を解決するためになされたもので、簡単な制御により、デコードの開始を早くしデコードデータの出力を早くすることが実現可能なディスク再生装置を提供することを目的とする。
【課題を解決するための手段】
【００１６】
前記従来の課題を解決するために、本発明の請求項１にかかるディスク再生装置は、圧縮されたディジタルオーディオ信号等のデータが記録されたディスクからデータを読み取る読取手段と、前記ディスクより前記読取手段により読み取られたデータを格納する第１の記憶手段と、該第１の記憶手段から読み出されたデータを格納する第２の記憶手段と、該第２の記憶手段に入力されるデータを、前記第１の記憶手段から読み出されたデータが入力される経路と、前記読取手段により読み取られたデータが入力される経路との間で切り替える第１の切替スイッチ、および、該第１の切替スイッチの切替を制御するスイッチ制御回路からなる切替スイッチ手段と、前記第２の記憶手段に格納されているデータのデータ量を判断する第２のデータ量判断手段と、前記第２の記憶手段に格納されたデータをデコードするデコード手段と、前記デコード手段によりデコードされたデータを出力するデータ出力手段と、を備え、前記第２の記憶手段がデータを記憶していない時、前記ディスクより前記読取手段により読み取られたデータをそれぞれ所定量まで、前記第１の記憶手段、及び第２の記憶手段に格納させ、前記第２のデータ量判断手段が、前記第２の記憶手段に所定量のデータが格納されたことを判断したとき、前記第２の記憶手段に入力されるデータの経路を、前記切替スイッチ手段により、前記第１の記憶手段から読み出されたデータが入力される経路に切り替える、ことを特徴とする。
【００１７】
これにより、第２の記憶手段に最初にデータが格納されるため、第１の記憶手段に格納される時間を短縮することができ、デコードの開始を早くすることが出来、デコードデータの出力を早くすることが出来る。
【００１８】
また、本発明の請求項２にかかるディスク再生装置は、請求項１記載のディスク再生装置において、前記第１の記憶手段に格納されているデータのデータ量を判断する第１のデータ量判断手段を、さらに備え、該第１のデータ量判断手段および前記第２のデータ量判断手段が、前記第１の記憶手段および前記第２の記憶手段がデータを記憶していないと判断したとき、前記第１の記憶手段および前記第２の記憶手段に前記ディスクより前記読取手段により読み取ったデータをそれぞれ所定量まで格納させ、前記第２のデータ量判断手段が、前記第２の記憶手段に所定量のデータが格納されたことを判断したとき、前記第２の記憶手段に入力されるデータの経路を、前記切替スイッチ手段により、前記第１の記憶手段から読み出されたデータが入力される経路に切り替える、ことを特徴とする。
【００１９】
これにより、前記第２の記憶手段に最初にデータが格納されるため、前記第１の記憶手段に格納される時間を短縮することができ、デコードの開始を早くすることが出来、デコードデータの出力を早くすることが出来る。
【００２０】
また、本発明の請求項３にかかるディスク再生装置は、請求項１記載または請求項２記載のディスク再生装置において、前記読み取り手段と、前記第１の記憶手段との間を、オンあるいはオフする第２の切替スイッチをさらに備え、前記スイッチ制御回路は、前記第１の切替スイッチが、前記第２の記憶手段に前記第１の記憶手段から読み出されたデータが入力される経路を選択する時、前記読み取り手段と前記第１の記憶手段との間をオンにし、該第１の切替スイッチが、前記第２の記憶手段に前記読取手段により読み取られたデータが入力される経路を選択する時、前記読み取り手段と前記第１の記憶手段との間をオフにするように該第１および第２の切替スイッチを切替える、ことを特徴とする。
【００２１】
これにより、前記第２の記憶手段に最初にデータが格納されるため、前記第１の記憶手段に格納される時間を短縮することができ、デコードの開始を早くすることが出来、デコードデータの出力を早くすることが出来る。
【発明の効果】
【００２２】
本発明のディスク再生装置によれば、上記のように前記第２の記憶手段がデータを記憶していない時、前記ディスクより前記読取手段により読み取られたデータをそれぞれ所定量まで、前記第１の記憶手段、及び第２の記憶手段に格納させ、前記第２のデータ量判断手段が、前記第２の記憶手段に所定量のデータが格納されたことを判断したとき、前記第２の記憶手段に入力されるデータの経路を、前記切替スイッチ手段により、前記第１の記憶手段から読み出されたデータが入力される経路に切り替えるように構成したので、簡単な制御により、デコードデータの出力を早くすることが可能となる効果がある。
【発明を実施するための最良の形態】
【００２３】
以下、本発明を実施するための最良の形態について、図面を参照しながら説明する。
（実施の形態１）
図１は、本発明の実施の形態１によるディスク再生装置１００のブロック図を示すものである。
図１において、１は圧縮されたオーディオデータ等が記録されたディスク、２はディスク１に記録されたデータを読み取るピックアップ、３はピックアップ２より読み取られたＥＦＭデータ等を復調するための復調回路、４は復調回路３で復調されたデータを元のデジタル信号に復元する信号処理回路、５は信号処理回路４で復元されたデジタル信号を格納する第１の記憶手段、１２は信号処理回路４で復元されたデジタル信号と記憶手段５に格納されているデータとを切り替えてそのいずれかを選択するための第１の切替スイッチである。
【００２４】
また、６は第１の切替スイッチ１２によって選択されたデータを、デコーダが復調をする際に使用するために格納する第２の記憶手段、１３は第２の記憶手段６に格納されたデータのデータ量を判断するデータ量判断回路、１４は第１の切替スイッチ１２の切替動作を制御する第１のスイッチ制御回路であり、デコード開始時等の、第１の記憶手段５および第２の記憶手段６が共にデータを明らかに格納していない場合に、第１の切替スイッチ１２がその２つの入力端子ａ，ｂの中のｂ側、即ち信号処理回路４で復元されたデジタル信号を選択し、その後に、データ量判断回路１３により第２の記憶手段６にデータが所定量まで格納されたことを判断したとき、切替スイッチ１２がそのａ側、即ち第１の記憶手段５から出力されるデータを選択するように第１の切替スイッチ１２を制御する。この第１のスイッチ制御回路１４は、前記第１の切替スイッチ１２とともに、第１の切替スイッチ手段２０を構成する。
【００２５】
また、７は第２の記憶手段６に格納されたデータを使用して圧縮オーディオファイル、例えば、ＭＰ３等のデータをデコードするデコーダ、８はデコーダ７によってデコードされたデータをＤ／Ａ変換するＤ／Ａ変換回路、９はＤ／Ａ変換回路８によりデジタルデータから変換されたアナログデータを外部に出力するためのアナログ出力端子、１０はデコーダ７によってデコードされたデータをデジタルデータのまま出力するインターフェース回路、１１はインターフェイス回路１０からのデジタル信号を外部に出力するためのデジタル出力端子である。
【００２６】
次に、本実施の形態１のディスク再生装置１００の動作を、以下に説明する。
まず、ディスク１からのデータをピックアップ２により読み取り、その読み取られたデータを復調回路３で復調した後、信号処理回路４で圧縮オーディオファイル等の元のデータに復元する。
【００２７】
再生の最初の段階においては、第１のスイッチ制御回路１４は、第１の切替スイッチ１２の２つの入力端子ａ，ｂの中のｂ側を選択し、信号処理回路４で圧縮オーディオファイル等の元のデータに復元されたデータを、第１の記憶手段５と第２の記憶手段６に格納し、その後、第２の記憶手段６のデータ量が所定量に到達したことを第２のデータ量判断回路１３が判断すると、第１のスイッチ制御回路１４は、第１の切替スイッチ１２のａ側を選択し、第２の記憶手段６に入力されるデータを、信号処理回路４から直接出力されるデータから第１の記憶手段５から出力されるデータに変更するよう切替を行う。この所定量は、例えば、デコードの開始に必要なデータ量を若干上回る量に設定すればよい。この後は、信号処理回路４から出力されるデータは、いったん第１の記憶手段５へ格納された後、第２の記憶手段６に入力される。
【００２８】
デコーダ７は、第２の記憶手段６に格納されたデータ量が、デコード可能な量に到達するとデコードを開始し、デコードされたデータをＤ／Ａ変換回路８、及びインターフェース回路１０に出力する。Ｄ／Ａ変換回路８はデコードされたデータを受け取りアナログデータに変換し、アナログ出力端子９より出力を行い、インターフェース回路１０はデコードされたデータを受け取り、外部回路が受け取れるフォーマットのデータに変換し、デジタル出力端子１１より出力する。
【００２９】
このように、本実施の形態１によるディスク再生装置１００によれば、圧縮されたディジタルオーディオ信号等のデータが記録されたディスクからデータを読み取り、いったん第１の記憶手段に格納した後、第２の記憶手段に格納してデコーダに供給する際に、第２の記憶手段に記憶されたデータ量を判断し、電源投入時等の、第２の記憶手段にデータが存在しない場合は、読み取ったデータを第１および第２の記憶手段に同時に格納し、第２の記憶手段に所定量のデータが格納された場合は、上述のように、データをいったん第１の記憶手段に格納してから、第２の記憶手段に格納してデコーダに供給するようにしたので、簡単な制御により、従来のディスク再生装置において必要であった、データを第１の記憶手段に格納する時間を省略することができ、デコードデータの出力を早くすることが可能となる効果がある。
【００３０】
（実施の形態２）
図２は、本発明の実施の形態２によるディスク再生装置２００のブロック図を示すものである。
図２において、図１と同一符号は同一または相当するものを示す。１３は図１の実施の形態１におけると同じく、第２の記憶手段６に格納されているデータのデータ量を判断する第２のデータ量判断回路、１５は第１の記憶手段５に格納されているデータのデータ量を判断する第１のデータ量判断回路、１６は第１の切替スイッチ１２の切替動作を制御する第２のスイッチ制御回路であり、第２のデータ量判断回路１３の出力と、第１のデータ量判断回路１５の出力とに基づき、第１の記憶手段５と第２の記憶手段６とが共にデータを格納していない場合には、第１の切替スイッチ１２の２つの入力ａ，ｂの中のｂ側、即ち信号処理回路４で復元されたデジタル信号を選択し、その後に、第２のデータ量判断回路１３により、第２の記憶手段６にデータが所定量まで格納されたことを判断したとき、第１の切替スイッチ１２のａ側、即ち第１の記憶手段５から出力されるデータを選択する。この第２のスイッチ制御回路１６は、前記第１の切替スイッチ１２とともに、第２の切替スイッチ手段２２を構成する。
【００３１】
次に、本実施の形態２のディスク再生装置２００の動作を、以下に説明する。
まず、ディスク１からのデータをピックアップ２により読み取り、その読み取られたデータを復調回路３で復調した後、信号処理回路４で圧縮オーディオファイル等の元のデータに復元する。
【００３２】
再生の最初の段階にあるか、あるいは、ディスクの回転が止まり、データが入力されなくなる等の異常状態により第１の記憶手段５および第２の記憶手段６に格納されたデータを使い切ってしまった状態等において、第２のデータ量判断回路１３および第１のデータ量判断回路１５により、第１の記憶手段５および第２の記憶手段６のそれぞれにデータが格納されていないことが判断されたときは、第２のスイッチ制御回路１６が第１の切替スイッチ１２のｂ側を選択し、信号処理回路４で圧縮オーディオファイル等の元のデータに復元されたデータを、第１の記憶手段５および第２の記憶手段６に格納する。その後、第２の記憶手段６のデータ量が所定量に到達したことを第２のデータ量判断回路１３により判断されると、第２のスイッチ制御回路１６は第１の切替スイッチ１２のａ側を選択し、第２の記憶手段６に入力されるデータを、信号処理回路４から出力されるデータから第１の記憶手段５から出力されるデータに変更するよう切替を行う。この後は、信号処理回路４から出力されるデータは、いったん第１の記憶手段５へ格納された後、第２の記憶手段６に入力される。
【００３３】
デコーダ７は、第２の記憶手段６のデータ量が、デコード可能な量に到達するとデコードを開始し、デコードされたデータをＤ／Ａ変換回路８、及びインターフェース回路１０に出力する。Ｄ／Ａ変換回路８はデコードされたデータを受け取りアナログデータに変換し、アナログ出力端子９より出力を行い、インターフェース回路１０はデコードされたデータを受け取り、外部回路が受け取れるフォーマットのデータに変換し、デジタル出力端子１１より出力する。
【００３４】
このように、本実施の形態２によるディスク再生装置２００によれば、実施の形態１と同様のディスク再生装置において、第１の記憶手段についてもそのデータ量を判断し、第１の記憶手段及び第２の記憶手段にデータが記憶されていないと判断された場合には、第１の記憶手段及び第２の記憶手段に、前記読取手段により読み取ったデータをそれぞれ所定量まで格納させ、第２の記憶手段６に所定量のデータが格納されたことが判断されると、第１の記憶手段にデータを格納した後に、第２の記憶手段にデータを格納するようにしたので、再生開始時だけでなく、ディスクが止まり、データが入力されなくなる等の異常状態により第１の記憶手段および第２の記憶手段のデータを使い切ってしまった等の状態においても、ディスクから読み出したデータを、第１の記憶手段及び第２の記憶手段に同時に入力することが可能となり、簡単な制御で、従来のディスク再生装置では必要であった第１の記憶手段にデータを格納する時間を省略することができ、デコードデータの出力を早くすることが可能となる効果が得られる。
【００３５】
（実施の形態３）
図３は、本発明の実施の形態３によるディスク再生装置３００のブロック図を示すものである。
図３において、図１，図２と同一符号は同一または相当するものを示す。１７は前記信号処理回路４からの出力の、前記第１の記憶手段５への入力を止める第２の切替スイッチ、１８はデコード開始時等の、第１の記憶手段５、および第２の記憶手段６が共にデータを明らかに格納していない場合に、第１の切替スイッチ１２のｂ側、即ち信号処理回路４で復元されたデジタル信号を選択するとともに、前記第２の切替スイッチ１７の入力停止状態（オフ状態）を選択し、その後に、第２のデータ量判断回路１３により第２の記憶手段６にデータが所定量まで格納されたことを判断したとき、第１の切替スイッチ１２のａ側、即ち第１の記憶手段５から出力されるデータを選択し、かつ第２の切替スイッチ１７の入力状態（オン状態）を選択する第３のスイッチ制御回路であり、前記第１の切替スイッチ１２とともに、第３の切替スイッチ手段２４を構成する。
【００３６】
次に、本実施の形態３のディスク再生装置１００の動作について説明する。
まず、ディスク１からのデータをピックアップ２により読み取り、その読み取られたデータを復調回路３で復調した後、信号処理回路４で圧縮オーディオファイル等の元のデータに復元する。
【００３７】
最初の段階においては、第３のスイッチ制御回路１８は第１の切替スイッチ１２のｂ側を選択し、かつ第２の切替スイッチ１７を入力停止状態とし、これにより、第２の記憶手段６には、信号処理回路４で圧縮オーディオファイル等の元のデータに復元されたデータが格納され、一方、第１の記憶手段５には書き込みが行われない。その後、第２の記憶手段６が所定量に到達したことを第２のデータ量判断回路１３で判断されると、第３のスイッチ制御回路１８は第１の切替スイッチ１２のａ側を選択し、かつ第２の切替スイッチ１７を入力状態とするため、第１の記憶手段５には、第２の記憶手段６に直接入力されていたデータの続きが入力され始め、第２の記憶手段６に入力されるデータは、第１の記憶手段５から出力されるデータに切替わり、信号処理回路４から入力されていた続きのデータ部分は、第１の記憶手段５に入力が行われる。
【００３８】
デコーダ７は第２の記憶手段６がデコード可能な量に到達すると、デコードを開始し、デコードされたデータを、Ｄ／Ａ変換回路８、及びインターフェース回路１０に出力する。Ｄ／Ａ変換回路８は受け取ったデコードされたデータをアナログに変換し、アナログ出力端子９より出力を行い、インターフェース回路１０は、受け取ったデコードされたデータを外部回路が受け取れるフォーマットに変換し、デジタル出力端子１１より出力を行う。
【００３９】
このように、本実施の形態３によるディスク再生装置３００によれば、前記実施の形態１と同様のディスク再生装置において、第１の記憶手段及び第２の記憶手段にデータが記憶されていないときには、第１の記憶手段にはデータの入力を遮断することで、第２の記憶手段のみに、前記読取手段により読み取ったデータをそれぞれ所定量まで格納させ、第２の記憶手段に所定量のデータが格納されたことが判断されると、上述のように、データをいったん第１の記憶手段に格納してから、第２の記憶手段に格納してデコーダに供給するようにしたので、従来のディスク再生装置では必要であった第１の記憶手段にデータを格納する時間を省略することができ、簡単な制御により、従来のディスク再生装置において必要であった、データを第１の記憶手段に格納する時間を省略することができ、デコードデータの出力を早くすることが可能となる効果がある。
【００４０】
また、本実施の形態３においては、第１の記憶手段に対して、最初、これへの書き込みが行われないため、消費電力の低下、及び不要輻射の低減を図ることが出来る効果も得られる。
【００４１】
なお、上記実施の形態３においては、データ量の判断には、前記実施の形態１と同様に、第２の記憶手段におけるデータ量を判断するものを示したが、これは、前記実施の形態２と同様に、第１，第２の記憶手段におけるデータ量を判断するようにしてもよく、同様の効果が得られる。
【産業上の利用可能性】
【００４２】
以上のように、本発明にかかるディスク再生装置は、デコードデータの出力を早くすることが可能となるので、ＣＤ等に記録された圧縮オーディオ等を再生するディスク再生装置等として有用である。
【図面の簡単な説明】
【００４３】
【図１】本発明の実施の形態１によるディスク再生装置１００の構成を示す図である。
【図２】本発明の実施の形態２によるディスク再生装置２００の構成を示す図である。
【図３】本発明の実施の形態３によるディスク再生装置３００の構成を示す図である。
【図４】従来例のディスク再生装置４００の構成を示す図である。
【符号の説明】
【００４４】
１００、２００、３００、４００  ディスク再生装置
１  ディスク
２  ピックアップ
３  復調回路
４  信号処理回路
５  第１の記憶手段
６  第２の記憶手段
７  デコーダ
８  Ｄ／Ａ変換回路
９  アナログ出力端子
１０  インターフェース回路
１１  デジタル出力端子
１２  切替スイッチ
１３  第２のデータ量判断回路
１４  スイッチ制御回路
１５  第１のデータ量判断回路
１６  スイッチ制御回路
１７  切替スイッチ
１８  スイッチ制御回路
【図１】
2008310887.tif 000003
【図２】
2008310887.tif 000004
【図３】
2008310887.tif 000005
【図４】
2008310887.tif 000006